(57)【要約】【課題】室内熱交換器への風速分布をより均一にし、熱交換性能を向上させ、冷暖房性能を向上させた床置型空気調和機を提供する。【解決手段】本体２０前面下方に設けた吸入グリル３と、本体２０前面上方に設けた吹き出しグリル１と、吸入グリル３と吹き出しグリル１とを結ぶ風回路１９内に配され、室内空気を吸入グリル３から吸引し、吹き出しグリル１から吹出す送風機１１と、風回路１９内に配され吸引された空気を熱交換する室内熱交換器１４と、送風機１１の風下側で、かつ室内熱交換器１４の風上側に設けられ送風機１１が吹出した空気の方向を制御する整流板１６と、整流板１６の傾斜角度を変える駆動用モーター１７とを備えたもので、整流板１６を傾斜させて、収納された室内熱交換器１４の風速分布を改善することで、室内熱交換器１４の能力を増大させ、冷暖房能力を向上させることができる。【選択図】図１
2011094815.tif 000002
【特許請求の範囲】
【請求項１】
本体前面下方に設けた吸入グリルと、前記本体前面上方に設けた吹き出しグリルと、前記吸入グリルと前記吹き出しグリルとを結ぶ風回路内に配され、室内空気を前記吸入グリルから吸引し、前記吹き出しグリルから吹出す送風機と、前記風回路内に配され吸引された空気を熱交換する室内熱交換器と、前記送風機の風下側で、かつ前記室内熱交換器の風上側に設けられ前記送風機が吹出した空気の方向を制御する整流板と、前記整流板の傾斜角度を変える駆動機構とを備えたことを特徴とする床置型空気調和機。
【請求項２】
整流板の先端部を、整流した空気を室内熱交換器の方向へ導くように湾曲させたことを特徴とする請求項１に記載の床置型空気調和機。
【請求項３】
送風機の回転数に応じて、駆動機構により整流板の傾斜角度を変化させ、室内熱交換器に向けて吹付ける空気の角度を一様に変化させることを特徴とする請求項１又は２に記載の床置型空気調和機。
【発明の詳細な説明】
【技術分野】
【０００１】
本発明は、床置型空気調和機に関するもので、特に、床置型空気調和機の本体風回路構成に関するものである。
【背景技術】
【０００２】
従来、この種の床置型空気調和機の風回路構成については、図４、５に示されるものが知られている（例えば、特許文献１参照）。以下、その風回路構成について図面を参照しながら説明する。
【０００３】
図４は、上記特許文献１に記載された従来の床置型空気調和機の本体の分解斜視図、図図５は、同本体の断面図である。
【０００４】
図４、５において、従来の床置型空気調和機の本体１００の前面部には、上部より吹き出しグリル１０１と、中部の前面パネル１０２と、下部の吸入グリル１０３が設けられており、下部の吸入グリル１０３より吸込んだ空気を、上部の吹き出しグリル１０１より室内に吹出す構成となっている。
【０００５】
又、本体１００は、側板１０４、１０５と、天板１０６と、底板１０７と、後ろ板１０８で骨格を形成している。
【０００６】
前記骨格内部には、風回路構成部品であるエアガイダー１０９と、ファンモーター１１０と、送風機１１１と、オリフィス１２が設置されている。エアガイダー１０９の上部には、室内熱交換器１１４が高さが最大になるように斜めに設置されており、室内熱交換器１１４の下部に、水受け皿１１５が設置され、さらに前記エアガイダー１０９の前面上部に電源板１１３が設置され、この水受け皿１１５の下、前記エアガイダー１０９と吸入グリル１０３の間に電源板１１３が設置された構成となっている。
【先行技術文献】
【特許文献】
【０００７】
【特許文献１】特開平６−１０１８６６号公報
【発明の概要】
【発明が解決しようとする課題】
【０００８】
しかしながら、上記従来の床置型空気調和機の構造では以下のような課題を有していた。
【０００９】
高さに制約がある床置型空気調和機の本体１００では、その高さによって収納できる室内熱交換器１１４の高さが決定されてしまうため、冷暖房性能を向上させるためには本体１１０のサイズを高くするか横幅を大きくせざるを得なかった。
【００１０】
また、冷暖房性能に大きく影響を及ぼす風回路構成において、室内熱交換器１１４は、その長さを最大とするために傾斜させて収納されており、送風機１１１はその下方に設けられていた。
【００１１】
そしてこの構成上、送風機１１１より吹出した室内空気は、室内熱交換器１１４に下方から斜めに吹き付けられる。
【００１２】
このような構成では、空気はもっぱら本体１００の背面側の壁面に沿って流れる傾向が強く、室内熱交換器１１４の上部の風速分布は大きく、下部の風速分布は小さくなってしまい、室内熱交換器１１４を通過する風速分布が全体として不均一な状態となり、室内熱交換器１１４の性能を最大限発揮する構成になっていなかった。
【００１３】
また、室内熱交換器１１４の各部分における風速分布が異なるため、室内熱交換器１１４を通過した空気の温度が不均一となり、吹出し口の周囲への結露の発生を惹起し、最悪の場合は成長した結露水が吹出されて室内に飛散し、クレームになるといった課題があった。
【００１４】
本発明は、上記従来の課題を解決するもので、室内熱交換器への風速分布をより均一にし、熱交換性能を向上させ、冷暖房性能を向上させた床置型空気調和機を提供することを目的とする。
【課題を解決するための手段】
【００１５】
前記従来の課題を解決するために、本発明の床置型空気調和機は、本体前面下方に設けた吸入グリルと、前記本体前面上方に設けた吹き出しグリルと、前記吸入グリルと前記吹き出しグリルとを結ぶ風回路内に配され、室内空気を前記吸入グリルから吸引し、前記吹き出しグリルから吹出す送風機と、前記風回路内に配され吸引された空気を熱交換する室内熱交換器と、前記送風機の風下側で、かつ前記室内熱交換器の風上側に設けられ前記送風機が吹出した空気の方向を制御する整流板と、前記整流板の傾斜角度を変える駆動機構とを備えたもので、整流板を傾斜させて、収納された室内熱交換器の風速分布を改善することで、室内熱交換器の能力を増大させ、冷暖房能力を向上させることができる。
【発明の効果】
【００１６】
本発明の床置型空気調和機は、室内熱交換器への風速分布をより均一にし、熱交換性能を向上させ、冷暖房性能を向上させることができる。
【図面の簡単な説明】
【００１７】
【図１】本発明の実施の形態１における床置型空気調和機の本体の分解斜視図
【図２】同本体の断面図
【図３】図２におけるＡ部の詳細拡大断面図
【図４】従来の床置型空気調和器の本体の分解斜視図
【図５】同本体の断面図
【発明を実施するための形態】
【００１８】
第１の発明は、本体前面下方に設けた吸入グリルと、前記本体前面上方に設けた吹き出しグリルと、前記吸入グリルと前記吹き出しグリルとを結ぶ風回路内に配され、室内空気を前記吸入グリルから吸引し、前記吹き出しグリルから吹出す送風機と、前記風回路内に配され吸引された空気を熱交換する室内熱交換器と、前記送風機の風下側で、かつ前記室内熱交換器の風上側に設けられ前記送風機が吹出した空気の方向を制御する整流板と、前記整流板の傾斜角度を変える駆動機構とを備えたもので、整流板を傾斜させて、収納された室内熱交換器の風速分布を改善することで、室内熱交換器の能力を増大させ、冷暖房能力を向上させることができる。
【００１９】
第２の発明は、特に、第１の発明の整流板の先端部を、整流した空気を室内熱交換器の方向へ導くように湾曲させたもので、より効率的に室内熱交換器の風速分布を改善することができる。
【００２０】
第３の発明は、特に、第１又は第２の発明の送風機の回転数に応じて、駆動機構により
整流板の傾斜角度を変化させ、室内熱交換器に向けて吹付ける空気の角度を一様に変化させるもので、送風機の回転数により異なる風速分布に対応して室内熱交換器に吹付ける空気の角度を変更することにより、より均一な風速分布で室内空気を室内熱交換器に吹付けることができるため、送風機の全使用回転数領域で、最適な風速分布を実現でき、室内熱交換器の能力を増大させ、冷暖房能力に優れた床置型空気調和機を提供することができるものである。
【００２１】
以下、本発明の実施の形態について、図面を参照しながら説明する。なお、この実施の形態によって本発明が限定されるものではない。
【００２２】
（実施の形態１）
図１は、本発明の実施の形態１における床置型空気調和機の本体の分解斜視図、図２は、同本体の断面図、図３は、図２におけるＡ部の詳細拡大断面図である。
【００２３】
図１〜３において、１は、吹出しグリル、２は、前面パネル、３は吸入グリルであり、この３点の部品によって、本実施の形態における床置型空気調和機の本体２０の前面が構成されている。
【００２４】
又本体２０自体は、側版５、６ならびに天板４、前板７、底板１５、後ろ板８で骨格を構成しており、この骨格内部に、ファンモーター１０およびエアガイダー９ならびにオリフィス１２を具備した送風機１１を配置し、前板７の上に電源板１３が取付けられて全体が構成されている。１９は、吹出しグリル１と吸入グリル３を結ぶ風回路である。
【００２５】
さらにエアガイダー９の上方すなわち下流側に位置する吹き出し部９ａの背面側に回動可能な整流板１６と、整流板１６を回動駆動する駆動機構である駆動用モーター１７が取り付けられており、最大風量時に送風機１１より吹き出された室内空気の流れを制御して、よりよい角度で室内熱交換器１４に吹付けて、室内熱交換器１４への風速分布をよりよく制御するようにしている。
【００２６】
吹付けられる室内空気の風速分布を室内熱交換器１４にとってよりよくすることで、室内熱交換器１４の性能を向上させる構成となっている。
【００２７】
整流板１６の先端部Ｂは、図３に示すように室内熱交換器１４側に湾曲した形状となっており、吹き出した室内空気の流れを意図した角度に曲げやすい形状となっている。
【００２８】
このように構成された床置型空気調和機の風回路１９では、もっぱら本体２０の背面側の壁面に沿って吹出された空気が流れる傾向があるため、風回路１９の背面側が前面側に比べて空気の速度分布が大きくなっている。このため、室内熱交換器１４の上部に吹付けられる空気の速度は大きく、室内熱交換器１４の下部に吹付けられる空気の速度は小さくなり、室内熱交換器１４全体としての風速分布は不均一なものになる傾向があり、これは送風機１１から吹出す風速が大きいほど顕著である。
【００２９】
そこで、本実施の形態では、駆動用モーター１７で、整流板１６の傾斜角α°を送風機１１の回転数に応じて変化させるようにしたもので、具体的には、送風機１１の回転数が低いときにはα°を小さく、送風機１１の回転数が大きくなるにしたがってα°を大きくしていくように一様に変化させ、風量変更に対しても室内熱交換器１４に吹付ける角度をよりよく制御する。
【００３０】
以上のように本実施の形態によれば、よりよい風速分布をなすように、整流板１６を制御するため、常に室内熱交換器１４の熱交換効率を最適に保ち、風回路性能を向上させる
ことができると同時に、室内熱交換器１４で熱交換された空気の温度が均一になり、結果、吹出しグリル１への結露を防止できるため、室内側への結露水の飛散を防止することができ、実使用上の品質をも向上することができる。
【産業上の利用可能性】
【００３１】
以上のように、本発明にかかる床置型空気調和機は、本体サイズを変更することなしに風回路の中に整流板と駆動用モーターを設けることで、常に室内熱交換器の熱交換効率を最適に保つことができ、風回路性能を向上させることができ、さらに吹出しグリルへの結露も防止できるので、同様の風回路を具備する除湿機や空気清浄機等の用途にも適用できる。
【符号の説明】
【００３２】
１  吹き出しグリル
２  前面パネル
３  吸入グリル
４  天板
５、６  側版
７  前板
８  後ろ板
１０  ファンモーター
１１  送風機
１３  電源板
１４  室内熱交換器
１５  底板
１６  整流板
１７  駆動用モーター（駆動機構）
１９  風回路
２０  本体
【図１】
2011094815.tif 000003
【図２】
2011094815.tif 000004
【図３】
2011094815.tif 000005
【図４】
2011094815.tif 000006
【図５】
2011094815.tif 000007